(57)【特許請求の範囲】
【請求項１】
ワイヤレスネットワークにおいて通信する方法であって、
関連付けが要求されるアクセスポイントの最終の宛先アドレスおよびオリジナルソースアドレスに、少なくとも部分的に、基づいて関連付けメッセージを局において暗号化すること、そして、
前記アクセスポイントへの配信のために中継器に前記暗号化された関連付けメッセージを送信すること、
を備える、上記方法。
【請求項２】
前記メッセージを暗号化することは、前記最終の宛先アドレスおよび前記オリジナルソースアドレスに基づいて追加の認証データを計算することを備え、前記追加の認証データは、マスクされたサービスの品質制御を有する、
請求項１に記載の方法。
【請求項３】
前記メッセージを暗号化することは、前記最終の宛先アドレスに基づいてノンスを計算することを備える、
請求項１に記載の方法。
【請求項４】
前記メッセージは、関連付けメッセージを備える、
請求項１に記載の方法。
【請求項５】
前記メッセージを暗号化することは、ブロック連鎖メッセージ認証コードプロトコル（ＣＣＭＰ）を持つカウンターサイファーモードに応じて前記メッセージを暗号化することを備える、
請求項１に記載の方法。
【請求項６】
ワイヤレスネットワークにおいて通信するための装置であって、
関連付けが要求されるアクセスポイントの最終の宛先アドレス、およびオリジナルソースアドレスに、少なくとも部分的に、基づいて関連付けメッセージを局において暗号化するための手段、そして、
前記アクセスポイントへの配信のために中継器に前記暗号化された関連付けメッセージを送信するための手段、
を備える上記装置。
【請求項７】
前記メッセージを暗号化するための手段は、前記最終の宛先アドレスおよび前記オリジナルソースアドレスに基づいて追加の認証データを計算するための手段を備え、前記追加の認証データは、マスクされたサービスの品質制御を有する、
請求項６に記載の装置。
【請求項８】
前記メッセージを暗号化するための手段は、前記最終の宛先アドレスに基づいてノンスを計算するための手段を備える、
請求項６に記載の装置。
【請求項９】
前記メッセージは、関連付けメッセージを備える、
請求項６に記載の装置。
【請求項１０】
前記メッセージを暗号化するための手段は、ブロック連鎖メッセージ認証コードプロトコル（ＣＣＭＰ）を持つカウンターサイファーモードに応じて前記メッセージを暗号化するための手段を備える、
請求項６に記載の装置。
【請求項１１】
コンピュータ上で動くとき請求項１から５のうちのいずれかに応じて方法を実行するためのコードを備える、コンピュータプログラム。
【発明の詳細な説明】
【関連出願の相互参照】
【０００１】
[0001]  本特許出願は、２０１２年９月７日に出願された米国仮出願第６１／６９８，４３０号に優先権を主張し、参照により本明細書に組み込まれる。
【技術分野】
【０００２】
[0002]  本特許出願は一般に、ワイヤレス通信に、より具体的に、ワイヤレス通信ネットワークにおいて中継器（relay）を使用するためのシステム、方法、およびデバイスに関する。
【背景技術】
【０００３】
[0003]  多くのテレコミュニケーションシステムでは、通信ネットワークは、いくつかの相互作用する空間的に隔てられたデバイスの間でメッセージをやりとりするために使用される。ネットワークは、地理的範囲に応じて分類されることができ、それは、例えば、メトロポリタンエリア、ローカルエリア、またはパーソナルエリアであることができる。そのようなネットワークは、広域エリアネットワーク（ＷＡＮ）、メトロポリタンエリアネットワーク（ＭＡＮ）、ローカルエリアネットワーク（ＬＡＮ）、ワイヤレスローカルエリアネットワーク（ＷＬＡＮ）、またはパーソナルエリアネットワーク（ＰＡＮ）としてそれぞれ指定され得る。ネットワークはまた、使用される通信プロトコルのセット（例えば、インターネットプロトコルスイート、ＳＯＮＥＴ（同期光ネットワーキング（Synchronous Optical Networking））、イーサネット（登録商標）等）、送信のために用いられる物理媒体のタイプ（例えば、ワイヤード対ワイヤレス）、多様なネットワークノードおよびデバイス（例えば、回路交換対パケット交換）を相互接続するために使用される交換（switching）／ブリッジング技法に応じて異なる。
【０００４】
[0004]  ネットワーク要素が、可動であり、よって動的な接続性（dynamic connectivity）の必要性を有するとき、またはネットワークアーキテクチャが固定のトポロジよりはむしろアドホックのトポロジで形成される場合、ワイヤレスネットワークは、好まれることが多い。ワイヤレスネットワークは、無線、マイクロ波、赤外線、光学等、周波数帯域における電磁波を使用する、無誘導伝搬モードで無形物理媒体を用いる。ワイヤレスネットワークは、固定のワイヤードネットワークと比べると、ユーザの可動性および迅速なフィールド展開を有利に促進する。
【０００５】
[0005]  ワイヤレスネットワークにおけるデバイスは、互いの間で情報を送信／受信することができる。いくつかの態様では、ワイヤレスネットワーク上のデバイスは、限られた送信レンジを有することができる。中継器デバイスは、ワイヤレスネットワークのレンジを拡張することができるが、例えば、関連付け（association）、暗号化（encryption）、およびフィルタリングオーバーヘッド（filtering overhead）のようなオーバーヘッドを増加することができる。従って、関連付ける、暗号化する、およびフィルタするための、改善されたシステム、方法、およびデバイスが、少なくとも１つの中継器ノードを有するワイヤレスネットワークに望まれる。
【発明の概要】
【０００６】
[0006]  本発明のシステム、方法、およびデバイスは、いくつかの態様を各々有し、それらのうち、それの望ましい属性（attribute）に対して全責任を負っているものは１つとしてない。続く特許請求の範囲によって表されるこの発明の範囲を限定することなく、いくつかの特徴がこれから簡潔に論考されることとなる。この論考を考慮した後、特に「発明を実施するための形態」と題するセクションを読んだ後、どのようにこの発明の特徴が、ワイヤレスネットワークにおけるアクセスポイントと局間の改善された通信を含む利点を提供するかを理解するだろう。
【０００７】
[0007]  本開示の１つの革新的な態様は、ワイヤレスネットワークにおいて通信する方法を含む。ワイヤレスネットワークは、アクセスポイントおよび中継器を含む。方法は、中継器で、アクセスポイントのネットワークアドレスをクライアントに示すことを含む。方法はさらに、クライアントから、アクセスポイント宛てに関連付け要求を受信することを含む。方法はさらに、アクセスポイントに関連付け要求を転送することを含む。
【０００８】
[0008]  本開示の別の革新的な態様は、ワイヤレスネットワークにおいて通信する方法を含む。方法は、最終の宛先アドレス（final destination address）、およびオリジナルソースアドレス（original source address）に、少なくとも部分的に、基づいてメッセージを暗号化することを含む。方法はさらに、最終の宛先アドレスへの配信のために中継器に暗号化されたメッセージを送信することを含む。
【０００９】
[0009]  本開示の別の革新的な態様は、ワイヤレスネットワークにおいて通信するように構成されるデバイスを含む。ワイヤレスネットワークは、アクセスポイントおよび中継器を含む。デバイスは、アクセスポイントのネットワークアドレスを、クライアントに示すように構成されるプロセッサを含む。デバイスはさらに、クライアントから、アクセスポイント宛てに関連付け要求を受信するように構成される受信機を含む。デバイスは、アクセスポイントに関連付け要求を転送するように構成される送信機を含む。
【００１０】
[0010]  本開示の別の革新的な態様は、ワイヤレスネットワークにおいて通信するように構成されるデバイスを含む。デバイスは、最終の宛先アドレス、およびオリジナルソースアドレスに、少なくとも部分的に、基づいてメッセージを暗号化するように構成されるプロセッサを含む。デバイスはさらに、最終の宛先アドレスへの配信のために中継器に暗号化されたメッセージを送信するように構成される送信機を含む。
【００１１】
[0011]  本開示の別の革新的な態様は、ワイヤレスネットワークにおいて通信するための装置を含む。ワイヤレスネットワークは、アクセスポイントおよび中継器を含む。装置は、アクセスポイントのネットワークアドレスを、クライアントに示すための手段を含む。装置はさらに、クライアントから、アクセスポイント宛てに関連付け要求を受信するための手段を含む。装置はさらに、アクセスポイントに関連付け要求を転送するための手段を含む。
【００１２】
[0012]  本開示の別の革新的な態様は、ワイヤレスネットワークにおいて通信するための装置を含む。装置は、最終の宛先アドレス、およびオリジナルソースアドレスに、少なくとも部分的に、基づいてメッセージを暗号化するための手段を含む。装置はさらに、最終の宛先アドレスへの配信のために中継器に暗号化されたメッセージを送信するための手段を含む。
【００１３】
[0013]  本開示の別の革新的な態様は、実行されると、装置に、アクセスポイントのネットワークアドレスを、クライアントに、示させるコードを含む非一時的なコンピュータ可読媒体を含む。媒体はさらに、実行されると、装置に、クライアントから、アクセスポイント宛てに関連付け要求を受信させるコードを含む。媒体はさらに、実行されると、装置に、アクセスポイントに関連付け要求を転送させるコードを含む。
【００１４】
[0014]  本開示の別の革新的な態様は、実行されると、装置に、最終の宛先アドレス、およびオリジナルソースアドレスに、少なくとも部分的に、基づいてメッセージを暗号化させるコードを含む非一時的なコンピュータ可読媒体を含む。媒体はさらに、実行されると、装置に、最終の宛先アドレスへの配信のために中継器に暗号化されたメッセージを送信させるコードを含む。
【００１５】
[0015]  本開示の別の革新的な態様は、ワイヤレスネットワークにおいて通信する方法を含む。ワイヤレスネットワークは、アクセスポイントおよび中継器を含む。方法は、アクセスポイントで、クライアントから関連付け要求を受信することを含む。関連付け要求は、中継器によって転送される。方法はさらに、関連付けの成功または失敗を判定することを含む。方法はさらに、関連付けが失敗するとき、クライアントからの１つ以上の以降に続くメッセージ（subsequent message）はフィルタされるべきという指示を中継器に送信することを含む。
【００１６】
[0016]  本開示の別の革新的な態様は、ワイヤレスネットワークにおいて通信するように構成されるデバイスを含む。ワイヤレスネットワークは、アクセスポイントおよび中継器を含む。デバイスは、中継器によって転送される、クライアントからの関連付け要求を受信するように構成される受信機を含む。デバイスはさらに、関連付けの成功または失敗を判定するように構成されるプロセッサを含む。デバイスはさらに、関連付けが失敗するとき、クライアントからの１つ以上の以降に続くメッセージはフィルタされるべきという指示を中継器に送信するように構成される送信機を含む。
【００１７】
[0017]  本開示の別の革新的な態様は、ワイヤレスネットワークにおいて通信するための装置を含む。ワイヤレスネットワークは、アクセスポイントおよび中継器を含む。装置は、アクセスポイントで、中継器によって転送される、クライアントからの関連付け要求を受信するための手段を含む。装置はさらに、関連付けの成功または失敗を判定するための手段を含む。装置はさらに、関連付けが失敗するとき、クライアントからの１つ以上の以降に続くメッセージはフィルタされるべきという指示を中継器に送信するための手段を含む。
【００１８】
[0018]  本開示の別の革新的な態様は、実行されると、装置に、中継器によって転送される、クライアントからの関連付け要求を受信させるコードを含む非一時的なコンピュータ可読媒体を含む。媒体はさらに、実行されると、装置に、関連付けの成功または失敗を判定させるコードを含む。媒体はさらに、実行されると、装置に、関連付けが失敗するとき、クライアントからの１つ以上の以降に続くメッセージはフィルタされるべきという指示を中継器に送信させるコードを含む。
【図面の簡単な説明】
【００１９】
【図１】[0019]  図１は、例示的なワイヤレス通信システムを表す。
【図２Ａ】[0020]  図２Ａは、本開示の態様が用いられることができる別の例示的なワイヤレス通信システムを表す。
【図２Ｂ】[0021]  図２Ｂは、本開示の態様が用いられることができる別の例示的なワイヤレス通信システムを表す。
【図３】[0022]  図３は、図１、２Ａ、および／または２Ｂのワイヤレス通信システム内で用いられることができるワイヤレスデバイスの例示的な機能ブロック図を表す。
【図４Ａ】[0023]  図４Ａは、ある実施形態に応じて、ワイヤレス通信システムを図示する。
【図４Ｂ】[0024]  図４Ｂは、別の実施形態に応じて、ワイヤレス通信システムを図示する。
【図４Ｃ】[0025]  図４Ｃは、別の実施形態に応じて、ワイヤレス通信システムを図示する。
【図５】[0026]  図５は、別の実施形態に応じて、ワイヤレス通信システムを図示する。
【図６】[0027]  図６は、ワイヤレスネットワークにおいて通信する例示的な方法の流れ図である。
【図７】[0028]  図７は、発明の例示的な実施形態に従った、ワイヤレスデバイスの機能ブロック図である。
【図８】[0029]  図８は、ワイヤレスネットワークにおいて通信する別の例示的な方法の流れ図である。
【図９】[0030]  図９は、発明の別の例示的な実施形態に従った、ワイヤレスデバイスの機能ブロック図である。
【図１０】[0031]  図１０は、ワイヤレスネットワークにおいて通信する別の例示的な方法の流れ図である。
【図１１】[0032]  図１１は、発明の別の例示的な実施形態に従った、ワイヤレスデバイスの機能ブロック図である。
【図１２】[0033]  図１２は、例示的な４アドレス管理フレームフォーマットを表す。
【発明を実施するための形態】
【００２０】
[0034]  新規のシステム、装置、および方法の多様な態様が、添付図面を参照して下文により十分に説明される。しかしながら、この開示は、多くの異なる形式で具現化されることができ、この開示全体を通して提示される任意の特定の構成または機能に限られるように解釈されるべきではない。むしろ、これらの態様は、この開示が徹底的で完全であり、当業者に開示の範囲を十分に伝えることとなるように提供される。本明細書における教示に基づいて、発明の任意の他の態様から独立して、または発明の任意の他の態様と組み合わせて、インプリメントされるか否かに関わらず、開示の範囲が、本明細書に開示された新規のシステム、装置、および、方法の任意の態様をカバーするように意図されていることを、当業者は理解すべきである。例えば、本明細書に説明される態様をいくつでも使用して、方法が実施されることができ、または装置がインプリメントされることができる。加えて、本明細書に説明された発明の多様な態様に加えた、または本明細書に説明された発明の多様な態様以外の、他の構成、機能性、または、構成および機能性を使用して実施されるそのような装置または方法をカバーすることを発明の範囲は、意図されている。本明細書に開示される任意の態様は、特許請求の範囲の１つ以上の要素によって具現化されることができることは理解されるべきである。
【００２１】
[0035]  特定の態様が本明細書に説明されるが、これらの態様の多くの変形および置換が、開示の範囲に含まれる。好ましい態様のいくつかの利益および利点が述べられるが、開示の範囲は、特定の利益、使用、または、目的に限られることを意図していない。むしろ、開示の態様は、異なるワイヤレス技術、システム構成、ネットワーク、および送信プロトコルに広く適用可能であることを意図されており、そのうちのいくつかは、例として、好ましい態様の続く説明中および図中に図示される。詳細な説明および図面は、限定することよりはむしろ開示の単なる実例であり、開示の範囲は、添付の特許請求の範囲およびそれらの同等物により定義されている。
【００２２】
[0036]  ポピュラーなワイヤレスネットワーク技術は、ワイヤレスローカルエリアネットワーク（ＷＬＡＮ（複数））の多様なタイプを含むことができる。ＷＬＡＮは、広範に使用されているネットワーキングプロトコルを用いて、近くのデバイスと共に相互接続するために使用されることができる。本明細書に説明された多様な態様は、ワイヤレスプロトコルのような、任意の通信標準に適用することができる。
【００２３】
[0037]  いくつかの態様では、サブギガヘルツ帯域におけるワイヤレス信号は、直交周波数分割多重化（ＯＦＤＭ）、直接拡散方式（ＤＳＳＳ）通信、ＯＦＤＭとＤＳＳＳ通信の組み合わせ、または他のスキームを使用してＩＥＥＥ  ８０２．１１プロトコルに応じて送信されることができる。ＩＥＥＥ  ８０２．１１プロトコルのインプリメンテーションは、センサ、メートリング（metering）、およびスマートグリッドネットワークのために使用されることができる。有利に、ＩＥＥＥ  ８０２．１１プロトコルをインプリメントするあるデバイスの態様は、他のワイヤレスプロトコルをインプリメントするデバイスより少ないパワーを消費することができる、および／または比較的長いレンジ、例えば約１キロメータ以上、にわたってワイヤレス信号を送信するために使用されることができる。
【００２４】
[0038]  いくつかのインプリメンテーションでは、ＷＬＡＮは、「ノード」と称される多様な相互接続されるデバイスを含む。例えば、ＷＬＡＮは、アクセスポイント（「ＡＰ（複数）」）および局（「ＳＴＡ（複数）」または「クライアント」）を含むことができる。一般に、ＡＰは、ＷＬＡＮのためのハブまたは基地局としての役目を果たすことができ、ＳＴＡは、ＷＬＡＮのユーザとしての役目を果たす。例えば、ＳＴＡは、ラップトップコンピュータ、携帯情報端末（ＰＤＡ）、モバイル電話機、等であることができる。例では、ＳＴＡは、インターネットに、または他の広域エリアネットワークに一般的な接続性（general connectivity）を入手するためにＷＩ‐ＦＩ（登録商標）に準拠したワイヤレスリンク（例えば、８０２．１１ｓ、８０２．１１ｈ、８０２．１１ａ、８０２．１１ｂ、８０２．１１ｇ、および／または８０２．１１ｎ、等のようなＩＥＥＥ  ８０２．１１プロトコル）を介してＡＰに接続する。いくつかのインプリメンテーションでは、ＳＴＡはまた、ＡＰとして使用されることができる。
【００２５】
[0039]  アクセスポイント（「ＡＰ」）は、ゲートウェイ、ノードＢ、無線ネットワークコントローラ（「ＲＮＣ」）、ｅノードＢ、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、またはいくつか他の用語を含む、それらとしてインプリメントされる、またはそれらとして知られることもできる。
【００２６】
[0040]  局「ＳＡＴ」は、アクセス端末（「ＡＴ」）、加入者局、加入者ユニット、モバイル局、リモート局、リモート端末、ユーザ端末、ユーザエージェント、ユーザデバイス、ユーザ機器、またはいくつか他の用語を含む、それらとしてインプリメントされる、またはそれらとして知られることもできる。いくつかのインプリメンテーションでは、アクセス端末は、セルラ電話、コードレス電話、セッション開始プロトコル（「ＳＩＰ」）電話機、ワイヤレスローカルループ（「ＷＬＬ」）局、携帯情報端末（「ＰＤＡ」）、ワイヤレス接続能力を有するハンドヘルドデバイス、またはワイヤレスモデムに接続されるいくつか他の適切な処理デバイスを含むことができる。それゆえに、本明細書に教示された１つ以上の態様は、電話機（例えば、セルラ電話機またはスマートフォン）、コンピュータ（例えば、ラップトップ）、ポータブル通信デバイス、ヘッドセット、ポータブルコンピューティングデバイス（例えば、パーソナルデータアシスタント）、エンターテインメントデバイス（例えば、音楽またはビデオデバイス、または衛星ラジオ）、ゲームデバイスまたはシステム、グローバルポジショニングシステムデバイス、あるいはワイヤレス媒体を介して通信するように構成される任意の他の適切なデバイスに組み込まれることができる。
【００２７】
[0041]  上記に論考されたように、本明細書に説明されたデバイスのうちのいくつかは、例えば、ＩＥＥＥ  ８０２．１１標準のうちの１つ以上をインプリメントすることができる。そのようなデバイスは、ＳＴＡまたはＡＰまたは他のデバイスとして使用されるか否かに関わらず、スマートグリッドネットワークで、またはスマートメートリングに使用されることができる。そのようなデバイスは、センサアプリケーションを提供することができ、またはホームオートメーションで使用されることができる。デバイスは、例えばパーソナルヘルスケアのために、ヘルスケアの関連で使用されることができる。それらはまた、マシンツーマシン通信をインプリメントするための、または（例えば、ホットスポットとともに使用するために）拡張されたレンジのインターネットの接続性を可能にするための、調査に使用されることができる。
【００２８】
[0042]  ワイヤレスネットワーク上のワイヤレスデバイスの送信レンジは、限られた距離のものである。ワイヤレスネットワーク上で通信するデバイスの限られた送信レンジに適応するために、アクセスポイントがデバイスの送信レンジ内に存在するように、アクセスポイントは、ポジションされることができる。実質的な地理的距離で隔てられたデバイスを含むワイヤレスネットワークにおいて、多数のアクセスポイントは、すべてのデバイスが、ネットワーク上で通信することができることを確実にすることが必要であることができる。これらの多数のアクセスポイントを含むことは、ワイヤレスネットワークのインプリメンテーションにコストを加えることができる。従って、ワイヤレスネットワークが、ネットワーク上のデバイスの送信レンジを上回ることができる距離におよぶとき、追加のアクセスポイントの必要性を低減するワイヤレスネットワークの設計は、望まれることができる。
【００２９】
[0043]  中継器は、アクセスポイントより低い費用であることができる。例えば、いくつかのアクセスポイントの設計は、イーサネットのような従来型のワイヤードＬＡＮベースの技術とインタフェースをとるために十分なハードウェアとワイヤレスネットワーキングハードウェアの両方を含むことができる。この追加の複雑さが、アクセスポイントに、中継器（複数）より高額にさせることができる。加えて、アクセスポイントは、ワイヤードＬＡＮとインタフェースをとることができるため、多数のアクセスポイントをインストールするコストが、アクセスポイントそれ自体のコストを超えて拡大することができ、ならびにワイヤードＬＡＮと関連するワイヤリングコスト、そしてワイヤードＬＡＮを構成することおよびインストールすることと関連する作業および他のインストレーションコストを含むことができる。アクセスポイントの代わりに中継器の使用は、アクセスポイントと関連するコストのいくつかを低減することができる。例えば、中継器は、ワイヤレスネットワーキング技術のみを使用することができるため、中継器の設計は、アクセスポイントの設計と比べると低減されたコストを提供することができる。加えて、ワイヤレストラフィック（wireless traffic）を中継する能力は、アクセスポイントと関連するインストレーション費用およびワイヤードＬＡＮのケーブルの敷設（cabling）の必要性を低減することができる。
【００３０】
[0044]  図１は、例示的なワイヤレス通信システム１００を表す。ワイヤレス通信システム１００は、ワイヤレス標準、例えば８０２．１１標準、に準じて動作することができる。ワイヤレス通信システム１００は、ＡＰ１０４を含むことができ、それは、ＳＴＡ（複数）１０６と通信する。
【００３１】
[0045]  さまざまな処理および方法が、ＡＰ１０４とＳＴＡ（複数）１０６間でワイヤレス通信システム１００における送信のために使用されることができる。例えば、信号は、直交周波数分割多重化（「ＯＦＤＭ／ＯＦＤＭＡ」）技法に従ってＡＰ１０４とＳＴＡ（複数）１０６間で送られる、および受信されることができる。ＯＦＤＭ／ＯＦＤＭＡ技法を用いる実施形態では、ワイヤレス通信システム１００は、ＯＦＤＭ／ＯＦＤＭＡシステムと称されることができる。代わりに、信号は、コード分割多重アクセス（「ＣＤＭＡ」）技法に従ってＡＰ１０４とＳＴＡ（複数）１０６間で送られる、および受信されることができる。ＣＤＭＡ技法を用いる実施形態では、ワイヤレス通信システム１００は、ＣＤＭＡシステムと称されることができる。
【００３２】
[0046]  ＡＰ１０４からＳＴＡ（複数）１０６のうちの１つ以上ヘの送信を促進する通信リンクは、ダウンリンク（ＤＬ）１０８と称されることができ、ＳＴＡ（複数）１０６のうちの１つ以上からＡＰ１０４への送信を促進する通信リンクは、アップリンク（ＵＬ）１１０と称されることができる。代わりに、ダウンリンク１０８は、順方向リンク（forward link）または順方向チャネルと称されることができ、アップリンク１１０は、逆方向リンク（reverse link）または逆方向チャネルと称されることができる。
【００３３】
[0047]  ＡＰ１０４は、基地局として作動することができ、基本サービスエリア（ＢＳＡ）１０２においてワイヤレス通信カバレッジを提供することができる。ＡＰ１０４は、ＡＰ１０４と関連付けられ、通信のためにＡＰ１０４を使用する、ＳＴＡ（複数）１０６とともに、基本サービスセット（ＢＳＳ）と称されることができる。ワイヤレス通信システム１００が、中央の（central）ＡＰ１０４なしで、ＳＴＡ（複数）１０６間でピアツーピアネットワークとして構成されることができることに留意されるべきである。それゆえに、本明細書に説明されたＡＰ１０４の機能は、ＳＴＡ（複数）１０６のうちの１つ以上によって代わりに実施されることができる。
【００３４】
[0048]  ＡＰ１０４は、システム１００の他のノードＳＴＡ（複数）１０６に、ダウンリンク１０８のような通信リンクを介して、ビーコン信号（または単に「ビーコン」）を送信することができ、それは、他のノードＳＴＡ（複数）１０６がＡＰ１０４にそれらのタイミングを同期することを助けることができる、あるいはそれは、他の情報または機能性を提供することができる。そのようなビーコンは、周期的に送信されることができる。１つの態様では、一連の送信（successive transmissions）間の周期（period）は、スーパーフレームと称されることができる。ビーコンの送信は、多くのグループまたは間隔に分けられることができる。１つの態様では、ビーコンは、共通のクロック（common clock）をセットするためのタイムスタンプ情報、ピアツーピアネットワーク識別子（peer‐to‐peer network identifier）、デバイス識別子、能力情報、スーパーフレーム継続時間（superframe duration）、送信方向情報、受信方向情報、近隣リスト、および／または拡張された近隣リストのような情報に限られるわけではないが、それらを含むことができ、そのうちのいくつかは、以下にさらに詳細に説明される。従って、ビーコンは、所与のデバイスに指定の情報と、いくつかのデバイス間で共通の（例えば、共用の）両方の情報を含むことができる。
【００３５】
[0049]  いくつかの態様では、ＳＴＡ１０６は、ＡＰ１０４と関連付けることを要求されることができ、ＡＰ１０４に通信を送る、および／またはＡＰ１０４から通信を受信することができる。１つの態様では、関連付けるための情報は、ＡＰ１０４によってブロードキャストされたビーコンに含まれる。ビーコンを受信するために、ＳＴＡ１０６は、例えば、カバレッジ領域にわたって広いカバレッジサーチを実施することができる。ＳＴＡ１０６はまた、例えば、灯台のような方法で（in a lighthouse fashion）カバレッジ領域をスイープすることによってサーチを実施することができる。関連付けるための情報を受信した後、ＳＴＡ１０６は、ＡＰ１０４に、関連付けプローブ（association probe）または要求のような、基準信号（reference signal）を送信することができる。いくつかの態様では、ＡＰ１０４は、例えば、インターネットまたは公共交換電話ネットワーク（public switched telephone network）（ＰＳＴＮ）のような、より大きいネットワークと通信するためにバックホールサービスを使用することができる。
【００３６】
[0050]  図２Ａは、本開示の態様が用いられることができる別の例示的なワイヤレス通信システム２００を表す。ワイヤレス通信システム２００もまた、ワイヤレス標準、例えば８０２．１１標準のうちのいずれか１つに準じて動作することができる。ワイヤレス通信システム２００は、ＡＰ１０４を含み、それは、１つ以上のＳＴＡ（複数）１０６および中継器（複数）１０７ａ‐１０７ｂと通信する。中継器（複数）１０７ａ‐１０７ｂもまた、１つ以上のＳＴＡ（複数）１０６と通信することができる。ワイヤレス通信システム２００は、ＯＦＤＭ／ＯＦＤＭＡ技法および／またはＣＤＭＡ技法に従って機能することができる。
【００３７】
[0051]  ＡＰ１０４は、基地局として作動することができ、基本サービスエリア（ＢＳＡ）１０２においてワイヤレス通信カバレッジを提供することができる。ある実施形態では、１つ以上のＳＴＡ（複数）１０６は、ＡＰのＢＳＡ１０２内に位置されることができ、一方他のＳＴＡ（複数）は、ＡＰのＢＳＡ１０２の外側に位置されることができる。例えば、図２Ａに図示されるように、ＳＴＡ１０６ｇは、ＡＰ１０４のＢＳＡ１０２内に位置されることができる。そのようなものとして、ＳＴＡ１０６ｇは、ＡＰ１０４と関連付けることができ、直接ＡＰ１０４とワイヤレス通信を実施することができる。例えば、ＳＴＡ（複数）１０６ｅ‐１０６ｆおよび１０６ｈ‐１０６ｉのような、他のＳＴＡ（複数）は、ＡＰ１０４のＢＳＡ１０２の外側に存在することができる。中継器（複数）１０７ａ‐１０７ｂは、ＡＰ１０４のＢＳＡ１０２の内側に存在することができる。そのようなものとして、中継器（複数）１０７ａ‐１０７ｂは、ＡＰ１０４と関連付けることができ、直接ＡＰ１０４とワイヤレス通信を実施することができる。
【００３８】
[0052]  ＡＰ１０４は、システム２００の他のノードＳＴＡ（複数）１０６に、ダウンリンク１０８のような通信リンクを介して、ビーコン信号（または単に「ビーコン」）を送信することができ、それは、ＳＴＡ１０６ｇまたは中継器（複数）１０７ａ‐１０７ｂがＡＰ１０４にそれらのタイミングを同期することを助けることができ、あるいはそれは、他の情報または機能性を提供することができる。そのようなビーコンは、周期的に送信されることができる。１つの態様では、一連の送信間の周期は、スーパーフレームと称されることができる。ビーコンの送信は、多くのグループまたは間隔に分けられることができる。１つの態様では、ビーコンは、共通のクロックをセットするためのタイムスタンプ情報、ピアツーピアネットワーク識別子、デバイス識別子、能力情報、スーパーフレーム継続時間、送信方向情報、受信方向情報、近隣リスト、および／または拡張された近隣リストのような情報に限られるわけではないが、含むことができ、そのうちのいくつかは、以下にさらに詳細に説明される。従って、ビーコンは、所与のデバイスに指定の情報と、いくつかのデバイスの間で共通の（例えば、共用の）両方の情報を含むことができる。
【００３９】
[0053]  いくつかの態様では、ＳＴＡ１０６ｇおよび／または中継器（複数）１０７ａ‐１０７ｂは、ＡＰ１０４と関連付けることを要求されることができ、ＡＰ１０４に通信を送ることができ、および／またはＡＰ１０４から通信を受信することができる。１つの態様では、関連付けるための情報は、ＡＰ１０４によってブロードキャストされたビーコンに含まれる。そのようなビーコンを受信するために、ＳＴＡ１０６ｇおよび／または中継器（複数）１０７ａ‐１０７ｂは、例えば、カバレッジ領域にわたって広いカバレッジサーチを実施することができる。ＳＴＡ（複数）１０６および／または中継器（複数）１０７ａ‐１０７ｂはまた、例えば、灯台のような方法でカバレッジ領域をスイープすることによってサーチを実施することができる。関連付けるための情報を受信した後、ＳＴＡ１０６ｇおよび／または中継器（複数）１０７ａ‐１０７ｂは、ＡＰ１０４に、関連付けプローブまたは要求のような、基準信号を送信することができる。いくつかの態様では、ＡＰ１０４は、例えば、インターネットまたは公共交換電話ネットワーク（ＰＳＴＮ）のような、より大きいネットワークと通信するためにバックホールサービスを使用することができる。
【００４０】
[0054]  ＡＰ１０４は、ＡＰ１０４と関連付けられ、通信のためにＡＰ１０４を使用する中継器（複数）１０７ａ‐１０７ｂおよび／またはＳＴＡ（複数）１０６とともに、基本サービスセット（ＢＳＳ）と称されることができる。ワイヤレス通信システム２００が、中央のＡＰ１０４なしで、中継器（複数）１０７ａ‐１０７ｂおよび／またはＳＴＡ（複数）１０６間でピアツーピアネットワークとして機能することができることに留意されるべきである。それゆえに、本明細書に説明されたＡＰ１０４の機能は、中継器（複数）１０７ａ‐１０７ｂおよびＳＴＡ（複数）１０６のうちの１つ以上によって代わりに実施されることができる。
【００４１】
[0055]  中継器（複数）１０７ａおよび１０７ｂはまた、基地局として作動することができ、それぞれ、基本サービスエリア１０３ａおよび１０３ｂにおいてワイヤレス通信カバレッジを提供することができる。ある実施形態では、いくつかのＳＴＡ（複数）１０６は、中継器１０７ａまたは１０７ｂのＢＳＡ内に位置することができる。例えば、ＳＴＡ１０６ｅおよびＳＴＡ１０６ｆは、中継器１０７ａのＢＳＡ１０３ａ内に図示される。ＳＴＡ１０６ｈおよびＳＴＡ１０６ｉは、中継器１０７ｂのＢＳＡ１０３ｂ内に図示される。そのようなものとして、ＳＴＡ（複数）１０６ｅ‐１０６ｆは、中継器１０７ａと関連付けることができ、直接中継器１０７ａとワイヤレス通信を実施することができる。中継器１０７ａは、ＡＰ１０４との関連付けを形成することができ、ＳＴＡ１０６ｅ‐１０６ｆに代わってＡＰ１０４とワイヤレス通信を実施することができる。同様に、ＳＴＡ（複数）１０６ｈ‐１０６ｉは、中継器１０７ｂと関連付けることができ、直接中継器１０７ｂとワイヤレス通信を実施することができる。中継器１０７ｂは、ＡＰ１０４との関連付けを形成することができ、ＳＴＡ１０６ｈ‐１０６ｉに代わってＡＰ１０４とワイヤレス通信を実施することができる。
【００４２】
[0056]  いくつかの態様では、ＳＴＡ（複数）１０６ｅ‐１０６ｆおよびＳＴＡ（複数）１０６ｈ‐１０６ｉは、中継器（複数）１０７ａ‐１０７ｂと関連付けることを要求されることができ、中継器（複数）１０７ａ‐１０７ｂに通信を送る、および／または中継器（複数）１０７ａ‐１０７ｂから通信を受信することができる。１つの態様では、関連付けるための情報は、中継器１０７ａ‐１０７ｂによってブロードキャストされたビーコンに含まれる。ビーコン信号は、中継器が関連付けを形成したＡＰ１０４のような、アクセスポイントによって使用されるのと同じサービスセット識別子（ＳＳＩＤ）を含むことができる。ビーコンを受信するために、ＳＴＡ（複数）１０６ｅ‐１０６ｆおよび１０６ｈ‐１０６ｉは、例えば、カバレッジ領域にわたって広いカバレッジサーチを実施することができる。ＳＴＡ（複数）１０６ｅ‐１０６ｆおよび１０６ｈ‐１０６ｉはまた、例えば、灯台のような方法でカバレッジ領域をスイープすることによってサーチを実施することができる。
【００４３】
[0057]  ある実施形態では、中継器１０７ａおよび／または１０７ｂが、ＡＰ１０４との関連付けを形成し、ビーコン信号を提供した後、ＳＴＡ（複数）１０６ｅ‐１０６ｉのうちの１つ以上は、中継器１０７ａおよび／または１０７ｂとの関連付けを形成することができる。ある実施形態では、中継器１０７ａおよび／または１０７ｂが、ＡＰ１０４との関連付けを形成する前に、ＳＴＡ（複数）１０６ｅ‐１０６ｉのうちの１つ以上は、中継器１０７ａおよび／または１０７ｂとの関連付けを形成することができる。関連付けるための情報を受信した後、ＳＴＡ（複数）１０６ｅ‐１０６ｆおよび１０６ｈ‐１０６ｉは、中継器（複数）１０７ａ‐１０７ｂに、関連付けプローブまたは要求のような、基準信号を送信することができる。中継器（複数）１０７ａ‐１０７ｂは、関連付け要求を受け取ることができ、ＳＴＡ（複数）１０６ｅ‐１０６ｆおよび１０６ｈ‐１０６ｉに関連付け応答を送ることができる。ＳＴＡ（複数）１０６ｅ‐１０６ｆおよび１０６ｈ‐１０６ｉは、中継器（複数）１０７ａ‐１０７ｂとデータを送るおよび受信することができる。中継器（複数）１０７ａ‐１０７ｂは、それが関連付けも形成したＡＰ１０４に、１つ以上のＳＴＡ（複数）１０６ｅ‐１０６ｆおよび１０６ｈ‐１０６ｉから受信されたデータを転送することができる。同様に、中継器（複数）１０７ａ‐１０７ｂが、ＡＰ１０４からデータを受信するとき、中継器（複数）１０７ａ‐１０７ｂは、適切なＳＴＡ１０６ｅ‐１０６ｆまたは１０６ｈ‐１０６ｉにＡＰ１０４から受信されたデータを転送することができる。中継器（複数）１０７ａ‐１０７ｂの中継サービスを使用することによって、ＳＴＡ（複数）１０６ｅ‐１０６ｆおよび１０６ｈ‐１０６ｉは、ＡＰ１０４と直接通信することができないにも関わらず、ＡＰ１０４と効率的に通信することができる。
【００４４】
[0058]  図２Ｂは、本開示の態様が用いられることができる別の例示的なワイヤレス通信システム２５０を表す。ワイヤレス通信システム２５０もまた、ワイヤレス標準、例えば８０２．１１標準のうちのいずれか１つに準じて動作することができる。図２Ａと似て、ワイヤレス通信システム２５０は、ＡＰ１０４を含むことができ、それは、１つ以上のＳＴＡ（複数）１０６ｅ‐１０６ｇおよび１０６j‐１０６ｌならびに中継器（複数）１０７ａ‐１０７ｂを含むワイヤレスノードと通信する。中継器（複数）１０７ａ‐１０７ｂはまた、いくつかのＳＴＡ（複数）１０６のようなワイヤレスノードと通信することができる。図２Ｂのワイヤレス通信システム２５０は、中継器（複数）１０７ａ‐１０７ｂが、中継器１０７ｃのような、他の中継器（複数）であるワイヤレスノードと通信することもできるという点において、図２Ａのワイヤレス通信システム２００とは異なる。表されたように、中継器１０７ｂは、中継器１０７ｃと通信している。中継器１０７ｃは、ＳＴＡ（複数）１０６ｋおよび１０６ｌと通信することもできる。ワイヤレス通信システム２５０は、ＯＦＤＭ／ＯＦＤＭＡ技法またはＣＤＭＡ技法に従って機能することができる。
【００４５】
[0059]  図２Ａに関して上記に説明されたように、ＡＰ１０４および中継器（複数）１０７ａ‐１０７ｂは、基地局として作動することができ、基本サービスエリア（ＢＳＡ）においてワイヤレス通信カバレッジを提供することができる。図２Ｂに表されたように、中継器１０７ｃもまた、基地局として作動することができ、ＢＳＡにおいてワイヤレス通信を提供することができる。図示された実施形態では、中継器（複数）１０７ａ‐１０７ｃおよびＡＰ１０４の各々は、それぞれ、基本サービスエリア１０２および１０３ａ‐１０３ｃをカバーする。ある実施形態では、いくつかのＳＴＡ（複数）１０６ｅ‐１０６ｇおよび１０６j‐１０６ｌは、ＡＰのＢＳＡ１０２内に位置されることができ、一方他のＳＴＡ（複数）は、ＡＰのＢＳＡ１０２の外側に位置されることができる。例えば、ＳＴＡ１０６ｇは、ＡＰ１０４のＢＳＡ１０２内に位置されることができる。そのようなものとして、ＳＴＡ１０６ｇは、ＡＰ１０４と関連付けることができ、直接ＡＰ１０４とワイヤレス通信を実施することができる。例えば、ＳＴＡ（複数）１０６ｅ‐１０６ｆおよびＳＴＡ（複数）１０６j‐lのような他のＳＴＡ（複数）は、ＡＰ１０４のＢＳＡ１０２の外側に存在することができる。中継器（複数）１０７ａ‐１０７ｂは、ＡＰ１０４のＢＳＡ１０２の内側に存在することができる。そのようなものとして、中継器（複数）１０７ａ‐１０７ｂは、ＡＰ１０４と関連付けることができ、直接ＡＰ１０４とワイヤレス通信を実施することができる。
【００４６】
[0060]  中継器１０７ｃは、ＡＰ１０４のＢＳＡ１０２の外側に存在することができる。中継器１０７ｃは、中継器１０７ｂのＢＳＡ１０３ｂの内側に存在することができる。そのために、中継器１０７ｃは、中継器１０７ｂと関連付けることができ、中継器１０７ｂとワイヤレス通信を実施することができる。中継器１０７ｂは、中継器１０７ｃに代わってＡＰ１０４とワイヤレス通信を実施することができる。ＳＴＡ（複数）１０６ｋ‐１０６ｌは、中継器１０７ｃと関連付けることができる。ＳＴＡ（複数）１０６ｋ‐１０６ｌは、中継器１０７ｃとの通信を介して中継器１０７ｂおよびＡＰ１０４との間接的な通信を介して、ワイヤレス通信を実施することができる。
【００４７】
[0061]  中継器１０７ｃと通信するために、ＳＴＡ（複数）１０６ｋ‐１０６ｌは、上記に説明されたように、ＳＴＡ（複数）１０６ｅ‐ｆが中継器１０７ａと関連付けるのと同じような方法で中継器１０７ｃと関連付けることができる。同様に、中継器１０７ｃは、中継器１０７ｂがＡＰ１０４と関連付けるのと同じような方法で中継器１０７ｂと関連付けることができる。そのために、ワイヤレス通信システム２５０は、ＡＰ１０４のＢＳＡ１０２を超えてワイヤレス通信サービスを提供するためにＡＰ１０４から拡張する中継器（複数）の多層のトポロジを提供する。ＳＴＡ（複数）１０６ｅ‐１０６ｇおよび１０６j‐１０６ｌは、多層のトポロジの任意のレベルでワイヤレス通信システム２５０内で通信することができる。例えば、表されたように、ＳＴＡ（複数）は、ＳＴＡ１０６ｇによって表されたように直接ＡＰ１０４と通信することができる。ＳＴＡ（複数）はまた、例えば、それぞれ中継器（複数）１０７ａ‐１０７ｂと通信するＳＴＡ（複数）１０６ｅ‐ｆおよび１０６ｊによって表されたように、中継器（複数）の「第１の層（first tier）」で通信することができる。ＳＴＡ（複数）はまた、ＳＴＡ（複数）１０６ｋ‐１０６ｌによって表されたように、中継器（複数）の第２の層で通信することができ、それは、中継器１０７ｃと通信する。
【００４８】
[0062]  図３は、図１、２Ａ、および／または２Ｂのワイヤレス通信システム１００、２００、および／または２５０内で用いられることができるワイヤレスデバイス３０２の例示的な機能ブロック図を表す。ワイヤレスデバイス３０２は、本明細書に説明された多様な方法をインプリメントするように構成されることができるデバイスの例である。例えば、ワイヤレスデバイス３０２は、ＡＰ１０４、ＳＴＡ（複数）１０６ｅ‐１０６ｌのうちの１つ、および／または中継器（複数）１０７ａ‐１０７ｃのうちの１つを含むことができる。
【００４９】
[0063]  ワイヤレスデバイス３０２は、ワイヤレスデバイス３０２の動作を制御するように構成されるプロセッサ３０４を含むことができる。プロセッサ３０４は、中央処理ユニット（ＣＰＵ）と称されることもできる。読取専用メモリ（ＲＯＭ）および／またはランダムアクセスメモリ（ＲＡＭ）の両方を含むことができるメモリ３０６は、プロセッサ３０４に命令およびデータを提供することができる。メモリ３０６の一部は、不揮発性ランダムアクセスメモリ（ＮＶＲＡＭ）を含むこともできる。プロセッサ３０４は、メモリ３０６内に記憶されたプログラム命令に基づいて、論理および算術演算（logical and arithmetic operation）を実施することができる。メモリ３０６の中の命令は、本明細書に説明された方法をインプリメントするために実行可能であることができる。
【００５０】
[0064]  プロセッサ３０４は、１つ以上のプロセッサでインプリメントされる処理システムのコンポーネントである、またはそれを含むことができる。１つ以上のプロセッサは、汎用マイクロプロセッサ、マイクロコントローラ、デジタル信号プロセッサ（ＤＳＰ（複数））、フィールドプログラマブルゲートアレイ（ＦＰＧＡ（複数））プログラマブル論理デバイス（ＰＬＤ（複数））、コントローラ、ステートマシン、ゲート論理、ディスクリートハードウェアコンポーネント、有限ステートマシン専用ハードウェア、あるいは演算または情報の他の操作を実施することができる任意の他の適切なエンティティのうちの任意の組み合わせでインプリメントされることができる。
【００５１】
[0065]  処理システムは、ソフトウェアを記憶するための機械可読媒体を含むこともできる。ソフトウェアは、ソフトウェア、ファームウェア、ミドルウェア、マイクロコード、ハードウェア記述言語、または、その他のものと称されるか否かに関わらず、命令のいずれのタイプも意味するように広く解釈されるべきである。命令は、（例えば、ソースコードフォーマット、２進コードフォーマット、実行可能コードフォーマット、またはコードの任意の他の適切なフォーマットの中に）コードを含むことができる。命令は、１つ以上のプロセッサによって実行されると、処理システムに、本明細書に説明された多様な機能を実施させる。
【００５２】
[0066]  ワイヤレスデバイス３０２は、ワイヤレスデバイス３０２とリモート位置（remote location）間のデータの送信および受信を可能にするための送信機３１０および／または受信機３１２を含むことができるハウジング３０８を含むこともできる。送信機３１０および受信機３１２は、トランシーバ３１４に組み合わされることができる。アンテナ３１６は、ハウジング３０８に取り付けられることができ、トランシーバ３１４に電気的に結合されることができる。ある実施形態では、アンテナ３１６は、ハウジング３０８内に存在することができる。多様な実施形態では、ワイヤレスデバイス３０２はまた、複数の送信機、複数の受信機、複数のトランシーバ、および／または複数のアンテナを含むことができる。
【００５３】
[0067]  ワイヤレスデバイス３０２はまた、トランシーバ３１４によって受信される信号のレベルを検出することができ、それを数値化する（quantify）ことができる信号検出器３１８を含むことができる。信号検出器３１８は、総エネルギー、シンボルあたりのサブキャリアごとのエネルギー、パワースペクトル密度、および他の信号のような信号を検出することができる。ワイヤレスデバイス３０２はまた、信号を処理する用に、デジタル信号プロセッサ（ＤＳＰ）３２０を含むことができる。ＤＳＰ３２０は、送信のためおよび／または受信時にパケットを処理するように構成されることができる。いくつかの態様では、パケットは、物理層データユニット（ＰＰＤＵ）を含むことができる。
【００５４】
[0068]  いくつかの態様では、ワイヤレスデバイス３０２はさらに、ユーザインタフェース３２２を含むことができる。ユーザインタフェース３２２は、キーパッド、マイクロフォン、スピーカ、および／またはディスプレイを含むことができる。ユーザインタフェース３２２は、ワイヤレスデバイス３０２のユーザに情報を伝えるおよび／またはユーザからのインプットを受信する任意の要素またはコンポーネントを含むことができる。
【００５５】
[0069]  ワイヤレスデバイス３０２の多様なコンポーネントは、バスシステム３２６によって共に結合されることができる。バスシステム３２６は、データバス、例えば、パワーバス、制御信号バス、およびデータバスに加えてステータス信号バスも含むことができる。当業者は、ワイヤレスデバイス３０２のコンポーネントが、いくつか他のメカニズムを使用して互いに共に結合されることができ、またはインプットを受け取ることができ、または提供することができることを理解するであろう。
【００５６】
[0070]  多くの別個のコンポーネントが図３に図示されるが、当業者は、コンポーネントのうちの１つ以上が、組み合わされる、または共通にインプリメントされることができるということを認識するであろう。例えば、プロセッサ３０４は、プロセッサ３０４に関して上記に説明された機能性をインプリメントするためだけでなく、信号検出器３１８および／またはＤＳＰ３２０に関して上記に説明された機能性をインプリメントするためにも使用されることができる。さらに、図３に図示されたコンポーネントの各々は、複数の別個の要素を使用してインプリメントされることができる。
【００５７】
[0071]  ワイヤレスデバイス３０２は、ＡＰ１０４、ＳＴＡ１０６ｅ‐１０６ｌ、または中継器１０７ａ‐１０７ｃを含むことができ、通信を送信するおよび／または受信するために使用されることができる。すなわち、ＡＰ１０４、ＳＴＡ（複数）１０６ｅ‐１０６ｌ、または中継器（複数）１０７ａ‐１０７ｃのうちのいずれも、送信機または受信機デバイスとしての役目を果たすことができる。ある態様は、送信機または受信機の存在を検出するためにプロセッサ３０４およびメモリ３０６上で動くソフトウェアによって使用されている信号検出器３１８を熟考する（contemplate）。
【００５８】
[0072]  図４Ａは、実施形態に応じて、ワイヤレス通信システム４００を図示する。ワイヤレス通信システム４００は、ＡＰ１０４、局（ＳＴＡ）１０６、および中継器１０７ｂを含む。たった１つのＳＴＡ１０６およびたった１つの中継器１０７ｂが図示されるが、ワイヤレス通信システム４００は、ＳＴＡ（複数）および中継器（複数）をいくつでも含むことができるということに留意されたい。いくつかの実施形態では、ＡＰ１０４は、ＳＴＡ１０６の送信レンジの外側に存在することができる。いくつかの実施形態では、ＳＴＡ１０６は、ＡＰ１０４の送信レンジの外側に存在することもできる。これらの実施形態では、ＡＰ１０４およびＳＴＡ１０６は、中継器１０７と通信することができ、それは、ＡＰ１０４とＳＴＡ１０６の両方の送信レンジ内に存在することができる。いくつかの実施形態では、ＡＰ１０４とＳＴＡ１０６の両方は、中継器１０７ｂの送信レンジ内に存在することができる。
【００５９】
[0073]  いくつかのインプリメンテーションでは、中継器１０７ｂは、ＳＴＡがＡＰと通信し得るのと同じ方法で、ＡＰ１０４と通信することができる。いくつかの態様では、中継器１０７ｂは、ＷＩ‐ＦＩ  ＤＩＲＥＣＴ（登録商標）ポイントツーポイントグループオーナー能力、またはソフトウェア使用可能なアクセスポイント（software-enabled access point）（「ＳｏｆｔＡＰ」）能力をインプリメントすることができる。いくつかの態様では、中継器１０７ｂは、ＡＰ１０４と関連付けることができ、ＡＰ１０４に通信を送ることができ、および／またはＡＰ１０４から通信を受信することができる。１つの態様では、関連付けるための情報は、ＡＰ１０４によってブロードキャストされたビーコン信号に含まれる。そのようなビーコンを受信するために、中継器１０７ｂは、例えば、カバレッジ領域にわたって広いカバレッジサーチを実施することができる。中継器１０７ｂはまた、例えば、灯台のような方法でカバレッジ領域をスイープすることによってサーチを実施することができる。関連付けるための情報を受信した後、中継器１０７ｂは、ＡＰ１０４に、関連付けプローブまたは要求のような、基準信号を送信することができる。ある実施形態では、中継器１０７ｂは、ＡＰ１０４とネットワークメッセージ（network message）をやりとりするとき、第１の局アドレス（station address）を利用することができる。
【００６０】
[0074]  同様に、ＳＴＡ１０６は、まるでそれがＡＰであるかのように中継器１０７ｂと関連付けることができる。いくつかの態様では、ＳＴＡ１０６は、中継器１０７ｂと関連付けることができ、中継器１０７ｂに通信を送ることができ、および／または中継器１０７ｂから通信を受信することができる。１つの態様では、関連付けるための情報は、中継器１０７ｂによってブロードキャストされたビーコンに含まれる。関連付けるための情報を受信した後、ＳＴＡ１０６は、中継器１０７ｂに、関連付けプローブまたは要求のような、基準信号を送信することができる。１つの実施形態では、中継器１０７ｂは、１つ以上の局とネットワークメッセージをやりとりするとき、第１の局アドレスと異なる第２の局アドレスを利用することができる。
【００６１】
[0075]  図４Ｂは、別の実施形態に応じて、ワイヤレス通信システム４５０を図示する。ワイヤレス通信システム４５０は、中継器１０７ｂ、中継器１０７ｃ、および局（ＳＴＡ）１０６を含む。たった１つのＳＴＡ１０６およびたった２つの中継器（複数）１０７ｂ‐１０７ｃが図示されるが、ワイヤレス通信システム４５０は、ＳＴＡ（複数）および中継器（複数）をいくつでも含むことができるということに留意されたい。
【００６２】
[0076]  いくつかの開示されたインプリメンテーションでは、中継器１０７ｃは、局がＡＰと通信し得るのと同じ方法で、中継器１０７ｂと通信することができる。いくつかの態様では、中継器１０７ｃは、ＷＩ‐ＦＩ  ＤＩＲＥＣＴ（登録商標）ポイントツーポイントグループオーナー能力、またはＳｏｆｔＡＰ能力をインプリメントすることができる。いくつかの態様では、中継器１０７ｃは、中継器１０７ｂと関連付けることができ、中継器１０７ｂに通信を送ることができ、および／または中継器１０７ｂから通信を受信することができる。１つの態様では、関連付けるための情報は、中継器１０７ｂによってブロードキャストされたビーコン信号に含まれる。そのようなビーコンを受信するために、中継器１０７ｃは、例えば、カバレッジ領域にわたって広いカバレッジサーチを実施することができる。サーチは、例えば、灯台のような方法でカバレッジ領域をスイープすることによって中継器１０７ｃによって実施されることもできる。関連付けるための情報を受信した後、中継器１０７ｃは、中継器１０７ｂに、関連付けプローブまたは要求のような、基準信号を送信することができる。ある実施形態では、中継器１０７ｃは、中継器１０７ｂとネットワークメッセージをやりとりするとき、第１の局アドレスを利用することができる。
【００６３】
[0077]  同様に、ＳＴＡ１０６は、まるでそれがＡＰであるかのように中継器１０７ｃと関連付けることができる。いくつかの態様では、ＳＴＡ１０６は、中継器１０７ｃと関連付けることができ、中継器１０７ｃに通信を送ることができ、および／または中継器１０７ｃから通信を受信することができる。１つの態様では、関連付けるための情報は、中継器１０７ｃによってブロードキャストされたビーコンに含まれる。関連付けるための情報を受信した後、ＳＴＡ１０６は、中継器１０７ｃに、関連付けプローブまたは要求のような、基準信号を送信することができる。１つの実施形態では、中継器１０７ｃは、１つ以上の局とネットワークメッセージをやりとりするとき、第１の局アドレスと異なる第２の局アドレスを利用することができる。
【００６４】
[0078]  図４Ｃは、実施形態に応じて、ワイヤレス通信システム４７５を図示する。ワイヤレス通信システム４００は、ＡＰ１０４、局（ＳＴＡ）１０６、および中継器１０７ｂを含む。たった１つのＳＴＡ１０６およびたった１つの中継器１０７ｂが図示されるが、ワイヤレス通信システム４００は、ＳＴＡ（複数）および中継器（複数）をいくつでも含むことができるということに留意されたい。いくつかの実施形態では、ＡＰ１０４は、ＳＴＡ１０６の送信レンジの外側に存在することができる。いくつかの実施形態では、ＳＴＡ１０６は、ＡＰ１０４の送信レンジの外側に存在することもできる。これらの実施形態では、ＡＰ１０４およびＳＴＡ１０６は、中継器１０７と通信することができ、それは、ＡＰ１０４とＳＴＡ１０６の両方の送信レンジ内に存在することができる。いくつかの実施形態では、ＡＰ１０４とＳＴＡ１０６の両方は、中継器１０７ｂの送信レンジ内に存在することができる。
【００６５】
[0079]  いくつかのインプリメンテーションでは、中継器１０７ｂは、ＳＴＡがＡＰと通信し得るのと同じ方法で、ＡＰ１０４と通信することができる。いくつかの態様では、中継器１０７ｂは、ＡＰ１０４と関連付けることができ、ＡＰ１０４に通信を送ることができ、および／またはＡＰ１０４から通信を受信することができる。１つの態様では、関連付けるための情報は、ＡＰ１０４によってブロードキャストされたビーコン信号に含まれる。そのようなビーコンを受信するために、中継器１０７ｂは、例えば、カバレッジ領域にわたって広いカバレッジサーチを実施することができる。中継器１０７ｂはまた、例えば、灯台のような方法でカバレッジ領域をスイープすることによってサーチを実施することができる。関連付けるための情報を受信した後、中継器１０７ｂは、ＡＰ１０４に、関連付けプローブまたは要求のような、基準信号を送信することができる。ある実施形態では、中継器１０７ｂは、ＡＰ１０４とネットワークメッセージをやりとりするとき、第１の局アドレスを利用することができる。
【００６６】
[0080]  図４Ｃの図示された実施形態では、ＳＴＡ１０６は、中継器１０７ｂを通して、ＡＰ１０４と関連付ける。図４Ｃに表された中継器１０７ｂは、図４Ａに関して上記に論考された実施形態とは対照的に、別個のＡＰの機能性をインプリメントしない。ある実施形態では、中継器１０７ｂは、ＡＰ１０４の１つ以上の態様を真似る。例えば、中継器１０７ｂは、ビーコンの中にＡＰ１０４に関連付けるための情報をブロードキャストすることができる。ビーコンは、ＡＰ１０４のネットワークアドレスを含むことができる。例えば、ビーコンは、中継器１０７ｂの媒体アクセス制御（ＭＡＣ）アドレスの代わりに、ＡＰ１０４のＭＡＣアドレスを含むことができる。関連付けるための情報を受信した後、ＳＴＡ１０６は、中継器１０７ｂに、関連付けプローブまたは要求のような、基準信号を送信することができる。ある実施形態では、中継器１０７ｂは、ＡＰ１０４のネットワークアドレスを使用してプローブ要求に応答することができる。例えば、中継器１０７ｂは、プローブ反応の中でＡＰ１０４のＭＡＣアドレスを示すことができる。
【００６７】
[0081]  それゆえに、中継器１０７ｂは、ＳＴＡ１０６とＡＰ１０４間の関連付けの間、トンネルまたはパススルーとして作動することができる。中継器１０７ｂは、ＡＰ１０４の態様を真似るように構成されることができ、ＳＴＡ１０６からＡＰ１０４にパケットを転送することができる。中継器１０７ｂはまた、ＡＰ１０４からＳＴＡ１０６にパケットを転送することができる。ＳＴＡ１０６とＡＰ１０４間の関連付けは、図５に関して、以下に説明される。
【００６８】
[0082]  図５は、別の実施形態に応じて、ワイヤレス通信システム５００を図示する。ワイヤレス通信システム５００は、ＡＰ１０４、中継器（複数）１０７ａ‐１０７ｈ、およびＳＴＡ（複数）１０６ｘ‐１０６ｚを含む、複数のノードを含む。ある実施形態では、ワイヤレス通信システム５００は、図２Ａ‐Ｂに関して上記に説明されたように、マルチホップメッシュネットワーク（multi-hop mesh network）であることができる。
【００６９】
[0083]  図５Ａに表されたように、ＳＴＡ（複数）１０６ｘ‐１０６ｚは、それぞれ、中継器（複数）１０７ｆ‐１０７ｈを通してＡＰ１０４と関連付ける。同じく、中継器（複数）１０７ｆ‐１０７ｈは、中継器１０７ｄを通してＡＰ１０４と関連付ける。中継器（複数）１０７ｃ‐１０７ｄは、中継器１０７ａを通してＡＰ１０４と関連付け、中継器１０７ｅは、中継器１０７ｂを通してＡＰ１０４と関連付ける。中継器（複数）１０７ａ‐１０７ｂは、直接ＡＰ１０４と関連付ける。多様な実施形態では、追加のＡＰ（複数）、ＳＴＡ（複数）、および／または中継器（複数）（表されていない）は、ワイヤレス通信システム５００に含まれることができ、ならびにいくつかのＡＰ（複数）、ＳＴＡ（複数）、および／または中継器（複数）は、省略されることができる。
【００７０】
[0084]   図４Ｃに関して、上記に論考されたように、ＳＴＡ（複数）１０６ｘ‐１０６ｚは、それぞれ、中継器（複数）１０７ｆ‐１０７ｈを通して、間接的にＡＰ１０４に関連付けることができる。例えば、中継器１０７ｆは、ＡＰ１０４のＭＡＣアドレスを含むビーコンを送信する（またはプローブ反応を送る）ことができる。ＳＴＡ１０６ｘは、ビーコンまたはプローブ反応を介してＡＰ１０４のＭＡＣアドレスを受信することができる。ＳＴＡ１０６ｘは、ＡＰ１０４宛てに関連付け要求を生成することができる。例えば、関連付け要求は、ＭＡＣプロトコルデータユニット（ＭＰＤＵ）ヘッダのＡ３フィールドの中に、ＡＰ１０４のＭＡＣアドレスを含むことができる。ＳＴＡ１０６ｘは、図１２に関して以下に論考されるように、４アドレス管理フレーム（four‐address management frame）を介して関連付け要求を送信することができる。ＳＴＡ１０６ｘは、４アドレスデータフレームを介して、拡張可能認証プロトコル（extensible authentication protocol）（ＥＡＰ）、またはＬＡＮ上のＥＡＰ（EAP over LAN）（ＥＡＰＯＬ）に従って関連付け要求を送信することができる。ＳＴＡ１０６ｘは、ＡＰ１０４への配信のために、中継器１０７ｆに関連付け要求を送信することができる。
【００７１】
[0085]  中継器１０７ｆは、ＳＴＡ１０６ｘから関連付け要求を受信することができる。中継器１０７ｆは、関連付け要求を認識することができ、ＡＰ１０４に関連付け要求を転送することができる。ある実施形態では、関連付け要求は、暗号化されることができる。中継器１０７ｆは、ペイロードを複号することなくＡＰ１０４に関連付け要求を転送することができる。ある実施形態では、ＳＴＡ１０６ｘおよびＡＰ１０４は、中継器１０７ｆに利用可能でない暗号化キーを引き出す（derive）ことができる。
【００７２】
[0086]  ＡＰ１０４は、関連付け要求に応答することができる。例えば、ＡＰ１０４は、図１２に関して以下に論考されるように、４アドレス管理フレームの中に関連付け反応を送信することができる。中継器１０７ｆは、反応を受信することができ、ＳＴＡ１０６ｘに反応を転送することができる。ある実施形態では、関連付けは、失敗することができる。関連付けが失敗するとき、ＡＰ１０４は、中継器（複数）１０７ａ‐１０７ｈのうちの１つ以上に通知を送ることができる。通知は、ネットワークからブロックするためにＳＴＡアドレスを示すことができる。例えば、ＡＰ１０４は、ＳＴＡ１０６ｘが、ネットワークにアクセスすることを禁止されることを示す、中継器１０７ａへの通知を送ることができる。中継器１０７ａは、ＳＴＡ１０６ｘから受信される以降に続くパケットをフィルタすることができ、拒否することができ、またはドロップすることができる。
【００７３】
[0087]  ある実施形態では、中継器１０７ａは、プリセットまたは可変の、フィルタリングタイムアウトまたは満了（expiration）の後、ＳＴＡ１０６ｘから受信される以降に続くパケットを止める、フィルタする、拒否する、またはドロップする。例えば、ＳＴＡ１０６ｘがネットワークにアクセスすることを禁止されることを示す、中継器１０７ａへの通知は、ＳＴＡ１０６ｘがネットワークにアクセスすることを禁止される継続時間を示すことができる。フィルタリングタイムアウトまたは満了の後、中継器１０７ａは、ＳＴＡ１０６ｘから受信される以降に続くパケットを許可することができる。
【００７４】
[0088]  図６は、ワイヤレスネットワークにおいて通信する例示的な方法の流れ図６００である。例えば、流れ図６００の方法は、それぞれ、図２Ａ、２Ｂ、４Ａ、４Ｂ、４Ｂ、および５に関して上記に説明された、ワイヤレス通信システム２００、２５０、４００、４５０、４７５、および／または５００内でインプリメントされることができる。特に、流れ図６００の方法は、中継器（複数）１０７ａ‐ｈおよびＡＰ１０４のうちの１つ以上によってインプリメントされることができる。流れ図６００の方法は、図３に関して上記に論考された、ワイヤレスデバイス３０２、および図５に関して上記に論考されたワイヤレス通信システム５００に特に関連して本明細書に説明されるが、当業者は、流れ図６００の方法が、任意の他の適切なデバイスによってインプリメントされることができることを理解するであろう。ある実施形態では、流れ図６００におけるステップは、図３に関して上記に説明されたメモリ３０６、送信機３１０、および受信機３１２のうちの１つ以上と併せてプロセッサ３０４またはＤＳＰ３２０のような、プロセッサまたはコントローラによって実施されることができる。流れ図６００の方法は、特定の順序に関して本明細書に説明されるが、多様な実施形態では、本明細書のブロックは、異なる順序で実施されることができ、または省略されることができ、および追加のブロックが加えられることができる。
【００７５】
[0089]  まず、ブロック６０５において、中継器は、クライアントに、アクセスポイントのネットワークアドレスを示す。例えば、図５に関して、中継器１０７ｆは、ＡＰ１０４のＭＡＣアドレスを含む、プローブ反応を送信することができ、または、ビーコンをブロードキャストすることができる。ＳＴＡ１０６ｘは、ＡＰ１０４のＭＡＣアドレスを含む、プローブ反応またはビーコンを受信することができる。ある実施形態では、ワイヤレスデバイス３０２が、中継器１０７ｆとして構成される場合、プロセッサ３０４は、送信機３１０に、ビーコンまたはプローブ反応を送信させることができる。
【００７６】
[0090]  次に、ブロック６１０において、中継器は、クライアントから関連付け要求を受信することができる。関連付け要求は、アクセスポイント宛てであることができる。例えば、図５に関して、中継器１０７ｆは、ＳＴＡ１０６ｘから関連付け要求を受信することができる。関連付け要求は、ＡＰ１０４のＭＡＣアドレス宛てであることができる。ある実施形態では、ワイヤレスデバイス３０２が、中継器１０７ｆとして構成される場合、プロセッサ３０４は、受信機３１２に、関連付け要求を受信させることができる。関連付け要求は、メモリ３０６の中に記憶されることができる。
【００７７】
[0091]  その次に、ブロック６１５において、中継器は、アクセスポイントに関連付け要求を転送することができる。例えば、図５に関して、中継器１０７ｆは、ＡＰ１０４に関連付け要求を転送することができる。ある実施形態では、ワイヤレスデバイス３０２が、中継器１０７ｆとして構成される場合、プロセッサ３０４は、送信機３１０に、関連付け要求を送信させることができる。関連付け要求は、メモリ３０６から取り出されることができる。
【００７８】
[0092]  図７は、発明の例示的な実施形態に従った、ワイヤレスデバイス７００の機能ブロック図である。当業者は、ワイヤレスパワー装置が、図７に表された簡略化されたワイヤレスデバイス７００よりも多くのコンポーネントを有することができることを理解するであろう。表されたワイヤレスデバイス７００は、特許請求の範囲内で、インプリメンテーションのいくつかの卓越した特徴を説明するために役立つそれらのコンポーネントのみを含む。ワイヤレスデバイス７００は、クライアントに、アクセスポイントのネットワークアドレスを示すための手段７０５、クライアントから、アクセスポイント宛てに関連付け要求を受信するための手段７１０、およびアクセスポイントに関連付け要求を転送するための手段７１５を含む。
【００７９】
[0093]  ある実施形態では、クライアントに、アクセスポイントのネットワークアドレスを示すための手段７０５は、ブロック６０５（図６）に関して上記に説明された機能のうちの１つ以上を実施するように構成されることができる。多様な実施形態では、クライアントに、アクセスポイントのネットワークアドレスを示すための手段７０５は、プロセッサ３０４（図３）、メモリ３０６（図３）、送信機３１０（図３）、ＤＳＰ３２０（図３）、およびアンテナ３１６（図３）のうちの１つ以上によってインプリメントされることができる。
【００８０】
[0094]  ある実施形態では、クライアントから、アクセスポイント宛てに関連付け要求を受信するための手段７１０は、ブロック６１０（図６）に関して上記に説明された機能のうちの１つ以上を実施するように構成されることができる。多様な実施形態では、クライアントから、アクセスポイント宛てに関連付け要求を受信するための手段７１０は、プロセッサ３０４（図３）、メモリ３０６（図３）、信号検出器３１８（図３）、受信機３１２（図３）、ＤＳＰ３２０（図３）、およびアンテナ３１６（図３）のうちの１つ以上によってインプリメントされることができる。
【００８１】
[0095]  ある実施形態では、アクセスポイントに関連付け要求を転送するための手段７１５は、ブロック６１５（図６）に関して上記に説明された機能のうちの１つ以上を実施するように構成されることができる。多様な実施形態では、アクセスポイントに関連付け要求を転送するための手段７１５は、プロセッサ３０４（図３）、メモリ３０６（図３）、送信機３１０（図３）、ＤＳＰ３２０（図３）、およびアンテナ３１６（図３）のうちの１つ以上によってインプリメントされることができる。
【００８２】
[0096]  図８は、ワイヤレスネットワークにおいて通信する別の例示的な方法の流れ図８００である。例えば、流れ図８００の方法は、それぞれ、図２Ａ、２Ｂ、４Ａ、４Ｂ、４Ｂ、および５に関して上記に説明されたワイヤレス通信システム２００、２５０、４００、４５０、４７５、および／または５００内でインプリメントされることができる。特に、流れ図８００の方法は、中継器（複数）１０７ａ‐ｈおよびＡＰ１０４のうちの１つ以上によってインプリメントされることができる。流れ図８００の方法は、図３に関して上記に論考された、ワイヤレスデバイス３０２、および図５に関して上記に論考されたワイヤレス通信システム５００に特に関連して本明細書に説明されるが、当業者は、流れ図８００の方法が、任意の他の適切なデバイスによってインプリメントされることができることを理解するであろう。ある実施形態では、流れ図８００におけるステップは、図３に関して上記に説明されたメモリ３０６、送信機３１０、および受信機３１２のうちの１つ以上と併せてプロセッサ３０４またはＤＳＰ３２０のような、プロセッサまたはコントローラによって実施されることができる。流れ図８００の方法は、特定の順序に関して本明細書に説明されるが、多様な実施形態では、本明細書のブロックは、異なる順序で実施されることができ、または省略されることができ、および追加のブロックが加えられることができる。
【００８３】
[0097]  まず、ブロック８０５において、デバイスは、最終の宛先アドレス、およびオリジナルソースアドレスに、少なくとも部分的に、基づいてメッセージを暗号化する。デバイスは、アクセスポイントおよび／またはＳＴＡを含むことができる。メッセージは、関連付けメッセージを含むことができる。暗号化は、ブロック連鎖メッセージ認証コードプロトコル（block chaining message authentication code protocol）（ＣＣＭＰ）メッセージを含むことができる。いくつかの実施形態では、メッセージは、ＩＥＥＥ標準８０２．１１（登録商標）‐２０１２に従って暗号化されることができる。
【００８４】
[0098]  いくつかの実施形態では、暗号化は、追加の認証データ（ＡＡＤ）に基づくことができる。ＡＡＤは、暗号化されたデータではなく、暗号で保護されたデータを含むことができる。ＡＡＤは、最終の宛先アドレス、および／またはオリジナルソースアドレスに基づくことができる。ある実施形態では、ＡＡＤは、ソースアドレス（例えば、ＭＰＤＵアドレスフィールドＡ４）にセットされた（set to）アドレスフィールドＡ１を有することができる。ＡＡＤは、最終の宛先アドレス（例えば、ＭＰＤＵアドレスフィールドＡ３）にセットされたアドレスフィールドＡ２を有することができる。ＡＡＤは、マスクされたサービスの品質（ＱＯＳ）制御フィールド（masked quality-of-service (QOS) control field）を有することができる。
【００８５】
[0099]  いくつかの実施形態では、暗号化は、ノンスに基づくことができる。ノンスは、ＣＣＭＰノンスであることができる。デバイスは、最終の宛先アドレスを使用してノンスを計算することができる。例えば、ノンスは、最終の宛先アドレス（例えば、ＭＰＤＵアドレスフィールドＡ３）にセットされたアドレスフィールドＡ２を含むことができる。
【００８６】
[00100]  例えば、図５に関して、デバイスは、ＡＰ１０４および／またはＳＴＡ１０６ｘを含むことができる。特に、ＳＴＡ１０６ｘは、最終の宛先アドレス（例えば、ＡＰ１０４のＭＡＣアドレス）およびオリジナルソースアドレス（例えば、ＳＴＡ１０６ｘのＭＡＣアドレス）に基づいてノンスおよびＡＡＤを計算することによって認証要求を暗号化することができる。ある実施形態では、ワイヤレスデバイス３０２が、ＳＴＡ１０６ｘとして構成される場合、プロセッサ３０４は、認証要求を暗号化することができる。ＡＰ１０４は、最終の宛先アドレス（例えば、ＳＴＡ１０６ｘのＭＡＣアドレス）およびオリジナルソースアドレス（例えば、ＡＰ１０４のＭＡＣアドレス）に基づいてノンスおよびＡＡＤを計算することによって認証反応を暗号化することができる。ある実施形態では、ワイヤレスデバイス３０２が、ＡＰ１０４として構成される場合、プロセッサ３０４は、認証反応を暗号化することができる。
【００８７】
[00101]  その次に、ブロック８１０において、デバイスは、最終の宛先アドレスへの配信のために中継器に暗号化されたメッセージを送信することができる。例えば、図５に関して、ＳＴＡ１０６ｘは、中継器１０７ｆに暗号化された認証要求を送信することができ、それは、ＡＰ１０４に要求を転送することができる。ある実施形態では、ワイヤレスデバイス３０２が、ＳＴＡ１０６ｘとして構成される場合、プロセッサ３０４は、送信機３１０に、関連付け要求を送信させることができる。ＡＰ１０４は、中継器１０７ｆに暗号化された認証反応を送信することができ、それは、ＳＴＡ１０６ｘに反応を転送することができる。ある実施形態では、ワイヤレスデバイス３０２が、ＡＰ１０４として構成される場合、プロセッサ３０４は、送信機３１０に、関連付け反応を送信させることができる。
【００８８】
[00102]  図９は、発明の別の例示的な実施形態に従った、ワイヤレスデバイス９００の機能ブロック図である。当業者は、ワイヤレスパワー装置が、図９に表された簡略化されたワイヤレスデバイス９００よりも多くのコンポーネントを有することができることを理解するであろう。表されたワイヤレスデバイス９００は、特許請求の範囲内で、インプリメンテーションのいくつかの卓越した特徴を説明するために役立つそれらのコンポーネントのみを含む。ワイヤレスデバイス９００は、最終の宛先アドレス、およびオリジナルソースアドレスに、少なくとも部分的に、基づいてメッセージを暗号化するための手段９０５、および最終の宛先アドレスへの配信のために中継器に暗号化されたメッセージを送信するための手段９１０を含む。
【００８９】
[00103]  ある実施形態では、最終の宛先アドレス、およびオリジナルソースアドレスに、少なくとも部分的に、基づいてメッセージを暗号化するための手段９０５は、ブロック８０５（図８）に関して上記に説明された機能のうちの１つ以上を実施するように構成されることができる。多様な実施形態では、最終の宛先アドレス、およびオリジナルソースアドレスに、少なくとも部分的に、基づいてメッセージを暗号化するための手段９０５は、プロセッサ３０４（図３）、メモリ３０６（図３）、およびＤＳＰ３２０（図３）のうちの１つ以上によってインプリメントされることができる。
【００９０】
[00104]  ある実施形態では、最終の宛先アドレスへの配信のために中継器に暗号化されたメッセージを送信するための手段９１０は、ブロック８１０（図８）に関して上記に説明された機能のうちの１つ以上を実施するように構成されることができる。多様な実施形態では、最終の宛先アドレスへの配信のために中継器に暗号化されたメッセージを送信するための手段９１０は、プロセッサ３０４（図３）、メモリ３０６（図３）、ＤＳＰ３２０（図３）、およびアンテナ３１６（図３）のうちの１つ以上によってインプリメントされることができる。
【００９１】
[00105]  図１０は、ワイヤレスネットワークにおいて通信する別の例示的な方法の流れ図１０００である。例えば、流れ図１０００の方法は、それぞれ、図２Ａ、２Ｂ、４Ａ、４Ｂ、４Ｂ、および５に関して上記に説明されたワイヤレス通信システム２００、２５０、４００、４５０、４７５、および／または５００内でインプリメントされることができる。特に、流れ図１０００の方法は、中継器（複数）１０７ａ‐ｈおよびＡＰ１０４のうちの１つ以上によってインプリメントされることができる。流れ図１０００の方法は、図３に関して上記に論考された、ワイヤレスデバイス３０２、および図５に関して上記に論考されたワイヤレス通信システム５００に特に関連して本明細書に説明されるが、当業者は、流れ図１０００の方法が、任意の他の適切なデバイスによってインプリメントされることができることを理解するであろう。ある実施形態では、流れ図１０００におけるステップは、図３に関して上記に説明されたメモリ３０６、送信機３１０、および受信機３１２のうちの１つ以上と併せてプロセッサ３０４またはＤＳＰ３２０のような、プロセッサまたはコントローラによって実施されることができる。流れ図１０００の方法は、特定の順序に関して本明細書に説明されるが、多様な実施形態では、本明細書のブロックは、異なる順序で実施されることができ、または省略されることができ、および追加のブロックが加えられることができる。
【００９２】
[00106]  まず、ブロック１００５において、アクセスポイントは、クライアントから関連付け要求を受信する。関連付け要求は、中継器によって転送されることができる。関連付け要求は、４アドレス管理フレームを介して受信されることができる。例えば、図５に関して、ＳＴＡ１０６ｘは、ＡＰ１０４に関連付け要求を送信することができる。中継器１０７ｆは、関連付け要求を転送することができる。従って、ＡＰ１０４は、関連付け要求を受信することができる。ある実施形態では、ワイヤレスデバイス３０２が、ＡＰ１０４として構成される場合、プロセッサ３０４は、受信機３１２に、関連付け要求を受信させることができる。関連付け要求は、メモリ３０６の中に記憶されることができる。
【００９３】
[00107]  次に、ブロック１０１０において、アクセスポイントは、関連付けの成功または失敗を判定することができる。例えば、クライアントがネットワークに認証できないとき、関連付けは、失敗することができる。例えば、図５に関して、ＡＰ１０４は、ＳＴＡ１０６ｘがネットワークにアクセスすることを認証されるか否かを判定することができる。ある実施形態では、ワイヤレスデバイス３０２が、ＡＰ１０４として構成される場合、プロセッサ３０４は、関連付けの成功または失敗を判定することができる。
【００９４】
[00108]  その次に、ブロック１０１５において、関連付けが失敗するとき、アクセスポイントは、クライアントからの１つ以上の以降に続くメッセージはフィルタされるべきという指示を送信することができる。アクセスポイントは、１つ以上の中継器（複数）に指示を送信することができる。例えば、図５に関して、ＡＰ１０４は、中継器１０７ｆに、ＳＴＡ１０６ｘがネットワークにアクセスすることを禁止されるという指示を送信することができる。同じく、中継器１０７ｆは、ＳＴＡ１０６ｘによって送信されるパケットをドロップすることができ、フィルタすることができ、またはそうでなければブロックすることができる。いくつかの実施形態では、ＳＴＡ１０６ｘが禁止されるという指示は、暗示的なまたは明示的な満了を含むことができる。ある実施形態では、ワイヤレスデバイス３０２が、ＡＰ１０４として構成される場合、プロセッサ３０４は、送信機３１０に、クライアントからの１つ以上の以降に続くメッセージは、フィルタされるべきという指示を送信させることができる。
【００９５】
[00109]  図１１は、発明の別の例示的な実施形態に従った、ワイヤレスデバイス１１００の機能ブロック図である。当業者は、ワイヤレスパワー装置は、図１１に表された簡略化されたワイヤレスデバイス１１００よりも多くのコンポーネントを有することができることを理解するであろう。表されたワイヤレスデバイス１１００は、特許請求の範囲内で、インプリメンテーションのいくつかの卓越した特徴を説明するために役立つそれらのコンポーネントのみを含む。ワイヤレスデバイス１１００は、中継器によって転送される、クライアントからの関連付け要求を受信するための手段１１０５、関連付けの成功または失敗を判定するための手段１１１０、および、関連付けが失敗するとき、クライアントからの１つ以上の以降に続くメッセージはフィルタされるべきという指示を中継器に送信するための手段１１１５を含む。
【００９６】
[00110]  ある実施形態では、中継器によって転送される、クライアントからの関連付け要求を受信するための手段１１０５は、ブロック１００５（図１０）に関して上記に説明された機能のうちの１つ以上を実施するように構成されることができる。多様な実施形態では、中継器によって転送される、クライアントからの関連付け要求を受信するための手段１１０５は、プロセッサ３０４（図３）、メモリ３０６（図３）、受信機３１２（図３）、ＤＳＰ３２０（図３）、およびアンテナ３１６（図３）のうちの１つ以上によってインプリメントされることができる。
【００９７】
[00111]  ある実施形態では、関連付けの成功または失敗を判定するための手段１１１０は、ブロック１０１０（図１０）に関して上記に説明された機能のうちの１つ以上を実施するように構成されることができる。多様な実施形態では、関連付けの成功または失敗を判定するための手段１１１０は、プロセッサ３０４（図３）、メモリ３０６（図３）、およびＤＳＰ３２０（図３）のうちの１つ以上によってインプリメントされることができる。
【００９８】
[00112]  ある実施形態では、関連付けが失敗するとき、クライアントからの１つ以上の以降に続くメッセージはフィルタされるべきという指示を中継器に送信するための手段１１１５は、ブロック１０１５（図１０）に関して上記に説明された機能のうちの１つ以上を実施するように構成されることができる。多様な実施形態では、関連付けが失敗するとき、クライアントからの１つ以上の以降に続くメッセージはフィルタされるべきという指示を中継器に送信するための手段１１１５は、プロセッサ３０４（図３）、メモリ３０６（図３）、送信機３１０（図３）、ＤＳＰ３２０（図３）、およびアンテナ３１６（図３）のうちの１つ以上によってインプリメントされることができる。
【００９９】
[00113]  図１２は、例示的な４アドレス管理フレーム１２００のフォーマットを表す。上記に論考されたように、それぞれ、図２Ａ、２Ｂ、４Ａ、４Ｂ、４Ｂ、および５に関して上記に説明されたワイヤレス通信システム２００、２５０、４００、４５０、４７５、および／または５００における１つ以上のメッセージは、４アドレス管理フレーム１２００を含むことができる。図示された実施形態では、４アドレス管理フレーム１２００は、フレーム制御（ＦＣ）フィールド１２０５、継続時間フィールド１２１０、第１のアドレスフィールド１２１５、第２のアドレスフィールド１２２０、第３のアドレスフィールド１２２５、シーケンス制御フィールド１２３０、第４のアドレスフィールド１２３５、ハイスループット（ＨＴ）制御フィールド１２４０、フレーム本体１２４５、およびフレームチェックシーケンス（ＦＣＳ）１２５０を含む。第４のアドレスフィールドは、例えば、転送先のアドレスとしての役目を果たすことができる。
【０１００】
[00114]  本明細書で使用される場合、「判定すること」という用語は、幅広い種類の作動を包含する。例えば、「判定すること」は、演算すること、計算すること、処理すること、引き出すこと、調べること、ルックアップすること（例えば、表、データベース、または、別のデータ構造でルックアップすること）、確認すること等を含むことができる。また、「判定すること」は、受信すること（例えば、情報を受信すること）、アクセスすること（例えば、メモリの中のデータにアクセスすること）等を含むことができる。また、「判定すること」は、解決すること、選択すること、選ぶこと、確立すること等を含むことができる。さらに、本明細書で使用される場合「チャネル幅」は、ある態様では帯域幅と称されることができ、またはある態様では帯域幅を包含することもできる。
【０１０１】
[00115]  本明細書で使用される場合、項目のリスト「のうちの少なくとも１つ」に関する表現は、単一のメンバを含む、それらの項目の任意の組み合わせに関する。例として、「ａ、ｂ、またはｃのうちの少なくとも１つ」は、ａ、ｂ、ｃ、ａ‐ｂ、ａ‐ｃ、ｂ‐ｃ、およびａ‐ｂ‐ｃをカバーすることが意図されている。
【０１０２】
[00116]  上記に説明された方法の多様な動作は、多様なハードウェアおよび／またはソフトウェアのコンポーネント（１つまたは複数の）、回路、および／またはモジュール（１つまたは複数の）のような、動作を実施する能力がある任意の適切な手段によって実施されることができる。一般的に、図に図示された任意の動作は、動作を実施する能力がある対応する機能的手段によって実施されることができる。
【０１０３】
[00117]  本開示に関連して説明された、多様な実例となる論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、ディスクリートゲートまたはトランジスタ論理、ディスクリートハードウェアコンポーネントまたは本明細書に説明された機能を実施するために設計されたそれらの任意の組み合わせを用いてインプリメントされるまたは実施されることができる。汎用プロセッサは、マイクロプロセッサであることができるが、代わりに、プロセッサは、任意の市販のプロセッサ、コントローラ、マイクロコントローラ、またはステートマシンであることができる。プロセッサはまた、コンピューティングデバイスの組み合わせ、例えば、ＤＳＰとマイクロプロセッサの組み合わせ、複数のマイクロプロセッサ、ＤＳＰコアと併せた１つ以上のマイクロプロセッサ、または任意の他のそのような構成、としてインプリメントされることができる。
【０１０４】
[00118]  １つ以上の態様では、説明された機能は、ハードウェア、ソフトウェア、ファームウェア、またはそれらの任意の組み合わせでインプリメントされることができる。ソフトウェアでインプリメントされる場合、機能は、コンピュータ可読媒体上の１つ以上の命令またはコードとして、記憶される、または送信されることができる。コンピュータ可読媒体は、１つの場所から別の場所へのコンピュータプログラムの転送を促進する任意の媒体を含む通信媒体とコンピュータ記憶媒体の両方を含む。記憶媒体は、コンピュータによってアクセスされることができる任意の利用可能な媒体であることができる。限定ではなく、例示の目的で、そのようなコンピュータ可読媒体は、ＲＡＭ、ＲＯＭ、ＥＥＰＲＯＭ、ＣＤ‐ＲＯＭまたは他の光学ディスク記憶装置、磁気ディスク記憶装置または他の磁気記憶デバイス、あるいは命令またはデータ構造の形式で所望のプログラムコードを搬送または記憶するために使用されることができ、コンピュータによってアクセスされることができる任意の他の媒体を含むことができる。また、任意の接続は、コンピュータ可読媒体と厳密には称される。例えば、ソフトウェアがウェブサイト、サーバ、または、同軸ケーブル、光ファイバーケーブル、ツイストペア、デジタル加入者線（ＤＳＬ）、または赤外線、無線、およびマイクロ波のようなワイヤレス技術を使用する他のリモートソースから送信される場合、同軸ケーブル、光ファイバーケーブル、ツイストペア、ＤＳＬ、または赤外線、無線、およびマイクロ波のようなワイヤレス技術は、媒体の定義に含まれる。ディスク（disk）およびディスク（disc）は、本明細書で使用される場合、コンパクトディスク（disc）（ＣＤ）、レーザーディスク（登録商標）（disc）、光学ディスク（disc）、デジタル多用途ディスク（disc）（ＤＶＤ）、フロッピー（登録商標）ディスク（disk）およびブルーレイ（登録商標）ディスク（disc）を含み、ディスク（disk）は通常、磁気的にデータを再生するが、ディスク（disc）は、レーザーを用いて光学的にデータを再生する。従って、いくつかの態様では、コンピュータ可読媒体は、非一時的なコンピュータ可読媒体（例えば、有体的媒体）を含むことができる。加えて、いくつかの態様では、コンピュータ可読媒体は、一時的なコンピュータ可読媒体（たとえば、信号）を含むことができる。上記の組み合わせもまた、コンピュータ可読媒体の範囲内に含まれるべきである。
【０１０５】
[00119]  本明細書に開示された方法は、説明された方法を達成するための１つ以上のステップまたは作動を含む。方法のステップおよび／または作動は、特許請求の範囲から逸脱することなく、互いにやりとりされることができる。言い換えれば、ステップまたは作動の指定の順序が指定されていない限り、指定のステップおよび／または作動の順序および／または使用は、特許請求の範囲から逸脱することなく修正されることができる。
【０１０６】
[00120]  説明された機能は、ハードウェア、ソフトウェア、ファームウェア、またはそれらの任意の組み合わせでインプリメントされることができる。ソフトウェアでインプリメントされる場合、機能は、コンピュータ可読媒体上の１つ以上の命令として記憶されることができる。記憶媒体は、コンピュータによってアクセスされることができる任意の利用可能な媒体であることができる。限定ではなく、例示の目的で、そのようなコンピュータ可読媒体は、ＲＡＭ、ＲＯＭ、ＥＥＰＲＯＭ、ＣＤ‐ＲＯＭまたは他の光学ディスク記憶装置、磁気ディスク記憶装置または他の磁気記憶デバイス、あるいは命令またはデータ構造の形式で所望のプログラムコードを搬送または記憶するために使用されることができ、コンピュータによってアクセスされることができる任意の他の媒体を含むことができる。ディスク（ｄｉｓｋ）およびディスク（ｄｉｓｃ）は、本明細書で使用される場合、コンパクトディスク（ｄｉｓｃ）（ＣＤ）、レーザーディスク（登録商標）（ｄｉｓｃ）、光学ディスク（ｄｉｓｃ）、デジタル多用途ディスク（ｄｉｓｃ）（ＤＶＤ）、フロッピー（登録商標）ディスク（ｄｉｓｋ）およびブルーレイ（登録商標）ディスク（ｄｉｓｃ）を含み、ディスク（ｄｉｓｋ）は通常、磁気的にデータを再生するが、ディスク（ｄｉｓｃ）は、レーザーを用いて光学的にデータを再生する。
【０１０７】
[00121]  従って、ある態様は、本明細書に提示された動作を実施するためのコンピュータプログラム製品を含むことができる。例えば、そのようなコンピュータプログラム製品は、命令を記憶（および／またはエンコード）したコンピュータ可読媒体を含むことができ、命令は、本明細書に説明された動作を実施するために１つ以上のプロセッサによって実行可能である。ある態様では、コンピュータプログラム製品は、パッケージング材料を含むことができる。
【０１０８】
[00122]  ソフトウェアまたは命令は、送信媒体にわたって送信されることもできる。例えば、ソフトウェアがウェブサイト、サーバ、または、同軸ケーブル、光ファイバーケーブル、ツイストペア、デジタル加入者線（ＤＳＬ）、または赤外線、無線、およびマイクロ波のようなワイヤレス技術を使用する他のリモートソースから送信される場合、同軸ケーブル、光ファイバーケーブル、ツイストペア、ＤＳＬ、または赤外線、無線、およびマイクロ波のようなワイヤレス技術は、送信媒体の定義に含まれる。
【０１０９】
[00123]  さらに、本明細書に説明された方法および技法を実施するためのモジュールおよび／または他の適切な手段が、ダウンロードされることができること、および／または、そうでなければ、適宜、ユーザ端末および／または基地局によって、入手されることができることを理解されるべきである。例えば、そのようなデバイスは、本明細書に説明された方法を実施するための手段の転送を促進するために、サーバに結合されることができる。代わりに、本明細書に説明された多様な方法は、ユーザ端末および／または基地局が、デバイスに記憶手段を結合するまたは提供するときに多様な方法を取得することができるように、記憶手段（例えば、ＲＡＭ、ＲＯＭ、コンパクトディスク（ＣＤ）またはフロッピーディスクのような物理記憶媒体、等）を介して提供されることができる。さらに、デバイスに本明細書に説明された方法および技法を提供するための任意の他の適切な技法が、利用されることができる。
【０１１０】
[00124]  特許請求の範囲が、上記に図示された、まさにその構成およびコンポーネントに限られるわけではないことは理解されるべきである。多様な修正、変更、および変形が、特許請求の範囲から逸脱することなく、上記に説明された方法および装置の配置、動作、および詳細においてなされることができる。
【０１１１】
[00125]  前述の内容は、本開示の態様に向けられているが、開示の他の態様およびさらなる態様が、その基本的な範囲から逸脱することなく考案されることができ、その範囲は、続く特許請求の範囲によって決定される。
以下に、本願出願の当初の特許請求の範囲に記載された発明を付記する。
［Ｃ１］
ワイヤレスネットワークにおいて通信する方法であって、
最終の宛先アドレス、およびオリジナルソースアドレスに、少なくとも部分的に、基づいてメッセージを暗号化すること、そして、
前記最終の宛先アドレスへの配信のために中継器に暗号化されたメッセージを送信すること、
を備える、上記方法。
［Ｃ２］
前記メッセージを暗号化することは、前記最終の宛先アドレスおよび前記オリジナルソースアドレスに基づいて追加の認証データを計算することを備え、前記追加の認証データは、マスクされたサービスの品質制御を有する、
Ｃ１に記載の方法。
［Ｃ３］
前記メッセージを暗号化することは、前記最終の宛先アドレスに基づいてノンスを計算することを備える、
Ｃ１に記載の方法。
［Ｃ４］
前記メッセージは、関連付けメッセージを備える、
Ｃ１に記載の方法。
［Ｃ５］
前記メッセージを暗号化することは、ブロック連鎖メッセージ認証コードプロトコル（ＣＣＭＰ）を持つカウンターサイファーモードに応じて前記メッセージを暗号化することを備える、
Ｃ１に記載の方法。
［Ｃ６］
ワイヤレスネットワークにおいて通信するように構成されるデバイスであって、
最終の宛先アドレス、およびオリジナルソースアドレスに、少なくとも部分的に、基づいてメッセージを暗号化するように構成されるプロセッサ、そして、
前記最終の宛先アドレスへの配信のために中継器に暗号化されたメッセージを送信するように構成される送信機、
を備える、上記デバイス。
［Ｃ７］
前記プロセッサは、前記最終の宛先アドレスおよび前記オリジナルソースアドレスに基づいて追加の認証データを計算するようにさらに構成され、前記追加の認証データは、マスクされたサービスの品質制御を有する、
Ｃ６に記載のデバイス。
［Ｃ８］
前記プロセッサは、前記最終の宛先アドレスに基づいてノンスを計算するようにさらに構成される、
Ｃ６に記載のデバイス。
［Ｃ９］
前記メッセージは、関連付けメッセージを備える、
Ｃ６に記載のデバイス。
［Ｃ１０］
前記プロセッサは、ブロック連鎖メッセージ認証コードプロトコル（ＣＣＭＰ）を持つカウンターサイファーモードに応じて前記メッセージを暗号化するようにさらに構成される、
Ｃ６に記載のデバイス。
［Ｃ１１］
ワイヤレスネットワークにおいて通信するための装置であって、
最終の宛先アドレス、およびオリジナルソースアドレスに、少なくとも部分的に、基づいてメッセージを暗号化するための手段、そして、
前記最終の宛先アドレスへの配信のために中継器に暗号化されたメッセージを送信するための手段、
を備える上記装置。
［Ｃ１２］
前記メッセージを暗号化するための手段は、前記最終の宛先アドレスおよび前記オリジナルソースアドレスに基づいて追加の認証データを計算するための手段を備え、前記追加の認証データは、マスクされたサービスの品質制御を有する、
Ｃ１１に記載の装置。
［Ｃ１３］
前記メッセージを暗号化するための手段は、前記最終の宛先アドレスに基づいてノンスを計算するための手段を備える、
Ｃ１１に記載の装置。
［Ｃ１４］
前記メッセージは、関連付けメッセージを備える、
Ｃ１１に記載の装置。
［Ｃ１５］
前記メッセージを暗号化するための手段は、ブロック連鎖メッセージ認証コードプロトコル（ＣＣＭＰ）を持つカウンターサイファーモードに応じて前記メッセージを暗号化するための手段を備える、
Ｃ１１に記載の装置。
［Ｃ１６］
非一時的なコンピュータ可読媒体であって、実行されると、装置に、
最終の宛先アドレス、およびオリジナルソースアドレスに、少なくとも部分的に、基づいてメッセージを暗号化させる、そして、
前記最終の宛先アドレスへの配信のために中継器に暗号化されたメッセージを送信させる、
コードを備える、上記媒体。
［Ｃ１７］
実行されると、前記装置に、前記最終の宛先アドレスおよび前記オリジナルソースアドレスに基づいて追加の認証データを計算させるコードをさらに備え、前記追加の認証データは、マスクされたサービスの品質制御を有する、
Ｃ１６に記載の媒体。
［Ｃ１８］
実行されると、前記装置に、前記最終の宛先アドレスに基づいてノンスを計算させるコードをさらに備える、
Ｃ１６に記載の媒体。
［Ｃ１９］
前記メッセージは、関連付けメッセージを備える、
Ｃ１６に記載の媒体。
［Ｃ２０］
実行されると、前記装置に、ブロック連鎖メッセージ認証コードプロトコル（ＣＣＭＰ）を持つカウンターサイファーモードに応じて前記メッセージを暗号化させるコードをさらに備える、
Ｃ１６に記載の媒体。
【図１】
0006284941.tif 000002
【図２Ａ】
0006284941.tif 000003
【図２Ｂ】
0006284941.tif 000004
【図３】
0006284941.tif 000005
【図４Ａ】
0006284941.tif 000006
【図４Ｂ】
0006284941.tif 000007
【図４Ｃ】
0006284941.tif 000008
【図５】
0006284941.tif 000009
【図６】
0006284941.tif 000010
【図７】
0006284941.tif 000011
【図８】
0006284941.tif 000012
【図９】
0006284941.tif 000013
【図１０】
0006284941.tif 000014
【図１１】
0006284941.tif 000015
【図１２】
0006284941.tif 000016